(57)【要約】【課題】本発明は物流中継ぎ箱を開示した。【解決手段】箱主体を含み、前記箱主体の中には収容チャンバが設置され、前記収容チャンバの下側には引っ掛かり溝が設置され、前記収容チャンバの左右側には収縮溝が連通するように設置され、前記収縮溝の中には安定板が回転するできるように設置され、前記安定板の相対する一端にはクッションが固定的に設置され、前記安定板は前記収容チャンバの中の物の両側を固定でき、前記安定板にはスライド溝が設置され、本発明は構造が簡単であり、操作が簡単であり、箱の蓋と箱主体とがロックされる過程を通じ、収容チャンバの中の荷物を固定でき、中継過程中に荷物の完全性を守り、荷物の揺れることで生じる損害を避け、この中継箱は重ね置くことができ、且つ安定性が高く、箱を閉める操作が簡単であり、中継時間を節約できる。【選択図】図１
2020183275.tif 000002
【特許請求の範囲】
【請求項１】
正面視で、箱主体を含み、前記箱主体の中には収容チャンバが設置され、前記収容チャンバの下側には引っ掛かり溝が設置され、前記収容チャンバの左右側には収縮溝が連通するように設置され、前記収縮溝の中には安定板が回転するできるように設置され、前記安定板の相対する一端にはクッションが固定的に設置され、前記安定板は前記収容チャンバの中の物の両側を固定でき、前記安定板にはスライド溝が設置され、前記スライド溝の中にはスライドブロックがスライドできるように設置され、前記収縮溝のうち互いに離れている一側には昇降溝が連通するように設置され、左右の前記昇降溝の中にはそれぞれ昇降ブロックがスライドできるように設置され、左側の前記昇降ブロッグは右側の前記昇降ブロッグの上側に位置しており、前記昇降ブロッグと前記スライドブロックとの間が回転ロッドにより回転できるように連結され、前記昇降ブロッグの上端面は引っ張りバネが固定的に設置され、左側の前記昇降溝の上側には押し装置が設置され、前記押し装置は左側の前記引っ張りバネの上側と固定的に連結され、前記押し装置が下へ押して左側の前記安定板を前記収容チャンバの中まで回転させ、且つ前記収容チャンバの中の物を固定し、前記押し装置の左側はには開き溝が設置され、前記開き溝の中にはバックルが回転できるように設置され、前記バックルの右端と前記開き溝との間には捻りバネが固定的に設置され、前記バックルにはバックル装置が設置され、右側の前記昇降溝の上側には回転溝が連通するように設置され、前記回転溝の中には前記収容チャンバを密封できる箱の蓋  が回転できるように設置され、前記箱の蓋  の下端と右側の前記引っ張りバネの上端との間はファスナーにより固定的に連結され、前記箱の蓋が前記収容チャンバを密封する時、前記ファスナーと前記押し装置により左右の前記安定板が相対的に回転して、前記収容チャンバの中の物の左右側を固定し、前記箱の蓋にはロック装置が設置され、前記ロック装置と前記バックル装置は引っ掛るように連結されることができ、且つ前記箱の蓋と前記箱主体とをロックできるように連結することができ、前記箱の蓋の中には方形溝が設置され、前記方形溝の中には防護板がスライドできるように設置され、前記方形溝の上側には前記防護板と固定的に連結されている伝動装置が設置され、前記箱の蓋と前記箱主体とが連結されている時、前記伝動装置は前記防護板を前記収容チャンバの中まで下降させて前記収容チャンバの中の物の上側を固定できることを特徴とする物流中継ぎ箱。
【請求項２】
前記押し装置は前記収容チャンバの左側壁の中に設置されている当接溝を含み、前記当接溝の左側には圧し溝が連通するように設置され、前記圧し溝の中には右側が前記当接溝の中まで伸びている圧しロッドがスライドできるように設置され、前記圧しロッドの左端面には位置制限ブロックが固定的に設置され、前記位置制限ブロックは前記圧しロッドが昇降する時位置を制限し、前記圧しロッドの下端は左側の前記引っ張りバネの上端と固定的に連結され、前記箱の蓋と前記箱主体とがロックできるように連結されている時、前記箱の蓋は前記圧しロッドを下へ押して下降させ、引っ張りバネにより前記安定板が回転できて物の左側を固定できることを特徴とする請求項１に記載の物流中継ぎ箱。
【請求項３】
前記バックル装置は前記バックルの中に設置されている外部空間と連通している押し溝を含み、前記押し溝の中には引っ掛かりブロックがスライドできるように設置され、前記引っ掛かりブロックと前記押し溝との間には戻しバネが固定的に設置され、前記引っ掛かりブロックの上下端面にはガイドスライドブロックが固定的に設置され、前記ガイドスライドブロックは前記引っ掛かりブロックがスライドする時に前記引っ掛かりブロックのスライドを制限する作用を果たすことを特徴とする請求項１に記載の物流中継ぎ箱。
【請求項４】
前記ロック装置は前記箱の蓋の中に設置されているロック溝を含み、前記ロック溝の右端壁の中には連結溝が連通するように設置され、前記連結溝の中にアンロック押しロッドがスライドできるように設置され、前記箱の蓋と前記箱主体とがロックできるように連結されている時、前記バックルと前記ロック溝とが引っ掛るように連結されることができ、前記引っ掛かりブロックが前記連結溝の中に入り、前記連結溝の上側には推し溝が外部空間と連通するように設置され、前記アンロック押しロッドの上端は前記推し溝の中に伸びており、且つ前記アンロック押しロッドと前記推し溝の左端壁との間には圧しバネが固定的に設置され、前記アンロック押しロッドを左に推し動かし、これによりアンロック押しロッドが前記引っ掛かりブロックを押して前記連結溝から離れさせ、前記バックルと前記箱の蓋との間をアンロックすることができることを特徴とする請求項１に記載の物流中継ぎ箱。
【請求項５】
前記伝動装置は伸縮溝を含み、前記伸縮溝の中には左端が外部空間まで伸びている押しブロックがスライドできるように設置され、前記押しブロックの右側にはラックが設置され、前記ラックと前記押しブロックとの間には伸縮バネが固定的に設置され、前記伸縮溝の下端壁には伝動溝が連通するように設置され、前記伝動溝の中には上端が前記ラックと噛み合っている傘歯車が回転できるように設置され、前記押しブロックは前記当接溝に押されて右に移動し、そうすると、前記ラックを推し動かして右に移動させ、前記傘歯車を回転させ、前記傘歯車の前端には伝動歯車が噛み合うように連結され、前記伝動溝の右側には前記防護板と連通している凹溝が設置され、前記凹溝の中には軸心がネジ山の形である回転輪が回転できるように設置され、前記回転輪と前記伝動歯車の間はベルトにより動力が伝達できるように連結され、前記回転輪の軸心のところにはネジ山軸がネジ山により連結され、前記ネジ山軸の下端が前記防護板と固定的に連結され、前記回転輪が回転し、これにより前記ネジ山軸が前記防護板を連動させて下降させ、前記収容チャンバの中の物の上端を固定することを特徴とする請求項１に記載の物流中継ぎ箱。
【発明の詳細な説明】
【技術分野】
【０００１】
本発明は郵送包装技術分野を取り上げて、具体的には物流中継ぎ箱である。
【背景技術】
【０００２】
現在の物流中継ぎ箱は中継時間を節約するために、デザインの構造が単一的であり、荷物が中継箱の中で固定されなく、郵送する時に荷物が揺れることで損害が生じ、また、中継ぎ箱を保存あるいは重ね置いて郵送する時、上下の隣接している中継ぎ箱の間はアンロック状態であり、そのため、郵送する時箱主体が滑りやすい。本発明は上記の問題を解決できる装置を提出した。
【先行技術文献】
【特許文献】
【０００３】
【特許文献１】中国特許出願公開第１０７５１２４７０号明細書
【発明の概要】
【発明が解決しようとする課題】
【０００４】
本発明は物流中継ぎ箱を提供し、従来技術における上記欠点を解消することを目的とする。
【課題を解決するための手段】
【０００５】
本発明の物流中継ぎ箱は、箱主体を含み、前記箱主体の中には収容チャンバが設置され、前記収容チャンバの下側には引っ掛かり溝が設置され、前記収容チャンバの左右側には収縮溝が連通するように設置され、前記収縮溝の中には安定板が回転するできるように設置され、前記安定板の相対する一端にはクッションが固定的に設置され、前記安定板は前記収容チャンバの中の物の両側を固定でき、前記安定板にはスライド溝が設置され、前記スライド溝の中にはスライドブロックがスライドできるように設置され、前記収縮溝のうち互いに離れている一側には昇降溝が連通するように設置され、左右の前記昇降溝の中にはそれぞれ昇降ブロックがスライドできるように設置され、左側の前記昇降ブロッグは右側の前記昇降ブロッグの上側に位置しており、前記昇降ブロッグと前記スライドブロックとの間が回転ロッドにより回転できるように連結され、前記昇降ブロッグの上端面は引っ張りバネが固定的に設置され、左側の前記昇降溝の上側には押し装置が設置され、前記押し装置は左側の前記引っ張りバネの上側と固定的に連結され、前記押し装置が下へ押して左側の前記安定板を前記収容チャンバの中まで回転させ、且つ前記収容チャンバの中の物を固定し、前記押し装置の左側はには開き溝が設置され、前記開き溝の中にはバックルが回転できるように設置され、前記バックルの右端と前記開き溝との間には捻りバネが固定的に設置され、前記バックルにはバックル装置が設置され、右側の前記昇降溝の上側には回転溝が連通するように設置され、前記回転溝の中には前記収容チャンバを密封できる箱の蓋  が回転できるように設置され、前記箱の蓋  の下端と右側の前記引っ張りバネの上端との間はファスナーにより固定的に連結され、前記箱の蓋が前記収容チャンバを密封する時、前記ファスナーと前記押し装置により左右の前記安定板が相対的に回転して、前記収容チャンバの中の物の左右側を固定し、前記箱の蓋にはロック装置が設置され、前記ロック装置と前記バックル装置は引っ掛るように連結されることができ、且つ前記箱の蓋と前記箱主体とをロックできるように連結することができ、前記箱の蓋の中には方形溝が設置され、前記方形溝の中には防護板がスライドできるように設置され、前記方形溝の上側には前記防護板と固定的に連結されている伝動装置が設置され、前記箱の蓋と前記箱主体とが連結されている時、前記伝動装置は前記防護板を前記収容チャンバの中まで下降させて前記収容チャンバの中の物の上側を固定できる。
【０００６】
更の技術プランとしては、前記押し装置は前記収容チャンバの左側壁の中に設置されている当接溝を含み、前記当接溝の左側には圧し溝が連通するように設置され、前記圧し溝の中には右側が前記当接溝の中まで伸びている圧しロッドがスライドできるように設置され、前記圧しロッドの左端面には位置制限ブロックが固定的に設置され、前記位置制限ブロックは前記圧しロッドが昇降する時位置を制限し、前記圧しロッドの下端は左側の前記引っ張りバネの上端と固定的に連結され、前記箱の蓋と前記箱主体とがロックできるように連結されている時、前記箱の蓋は前記圧しロッドを下へ押して下降させ、引っ張りバネにより前記安定板が回転できて物の左側を固定できる。
【０００７】
更の技術プランとしては、前記バックル装置は前記バックルの中に設置されている外部空間と連通している押し溝を含み、前記押し溝の中には引っ掛かりブロックがスライドできるように設置され、前記引っ掛かりブロックと前記押し溝との間には戻しバネが固定的に設置され、前記引っ掛かりブロックの上下端面にはガイドスライドブロックが固定的に設置され、前記ガイドスライドブロックは前記引っ掛かりブロックがスライドする時に前記引っ掛かりブロックのスライドを制限する作用を果たす。
【０００８】
更の技術プランとしては、前記ロック装置は前記箱の蓋の中に設置されているロック溝を含み、前記ロック溝の右端壁の中には連結溝が連通するように設置され、前記連結溝の中にアンロック押しロッドがスライドできるように設置され、前記箱の蓋と前記箱主体とがロックできるように連結されている時、前記バックルと前記ロック溝とが引っ掛るように連結されることができ、前記引っ掛かりブロックが前記連結溝の中に入り、前記連結溝の上側には推し溝が外部空間と連通するように設置され、前記アンロック押しロッドの上端は前記推し溝の中に伸びており、且つ前記アンロック押しロッドと前記推し溝の左端壁との間には圧しバネが固定的に設置され、前記アンロック押しロッドを左に推し動かし、これによりアンロック押しロッドが前記引っ掛かりブロックを押して前記連結溝から離れさせ、前記バックルと前記箱の蓋との間をアンロックすることができる。
【０００９】
更の技術プランとしては、前記伝動装置は伸縮溝を含み、前記伸縮溝の中には左端が外部空間まで伸びている押しブロックがスライドできるように設置され、前記押しブロックの右側にはラックが設置され、前記ラックと前記押しブロックとの間には伸縮バネが固定的に設置され、前記伸縮溝の下端壁には伝動溝が連通するように設置され、前記伝動溝の中には上端が前記ラックと噛み合っている傘歯車が回転できるように設置され、前記押しブロックは前記当接溝に押されて右に移動し、そうすると、前記ラックを推し動かして右に移動させ、前記傘歯車を回転させ、前記傘歯車の前端には伝動歯車が噛み合うように連結され、前記伝動溝の右側には前記防護板と連通している凹溝が設置され、前記凹溝の中には軸心がネジ山の形である回転輪が回転できるように設置され、前記回転輪と前記伝動歯車の間はベルトにより動力が伝達できるように連結され、前記回転輪の軸心のところにはネジ山軸がネジ山により連結され、前記ネジ山軸の下端が前記防護板と固定的に連結され、前記回転輪が回転し、これにより前記ネジ山軸が前記防護板を連動させて下降させ、前記収容チャンバの中の物の上端を固定する。
【発明の効果】
【００１０】
本発明は構造が簡単であり、操作が簡単であり、箱の蓋と箱主体とがロックされる過程を通じ、収容チャンバの中の荷物を固定でき、中継過程中に荷物の完全性を守り、荷物の揺れることで生じる損害を避け、この中継箱は重ね置くことができ、且つ安定性が高く、箱を閉める操作が簡単であり、中継時間を節約できる。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の物流中継ぎ箱の全体構成模式図
【図２】図２は図１の「Ａ」の拡大構成模式図
【図３】図３は図２の「Ｂ」の構成模式図
【図４】図４は図１の「Ｃ」の構成模式図
【発明を実施するための形態】
【００１３】
図１〜４を参照し、本発明の実施例の物流中継ぎ箱は、箱主体１０を含み、前記箱主体１０の中には収容チャンバ１１が設置され、前記収容チャンバ１１の下側には引っ掛かり溝１２が設置され、前記収容チャンバ１１の左右側には収縮溝１３が連通するように設置され、前記収縮溝１３の中には安定板１４が回転するできるように設置され、前記安定板１４の相対する一端にはクッション５４が固定的に設置され、前記安定板１４は前記収容チャンバ１１の中の物の両側を固定でき、前記安定板１４にはスライド溝１５が設置され、前記スライド溝１５の中にはスライドブロック１６がスライドできるように設置され、前記収縮溝１３のうち互いに離れている一側には昇降溝１８が連通するように設置され、左右の前記昇降溝１８の中にはそれぞれ昇降ブロック１９がスライドできるように設置され、左側の前記昇降ブロッグ１９は右側の前記昇降ブロッグ１９の上側に位置しており、前記昇降ブロッグ１９と前記スライドブロック１６との間が回転ロッド１７により回転できるように連結され、前記昇降ブロッグ１９の上端面は引っ張りバネ２０が固定的に設置され、左側の前記昇降溝の上側には押し装置１００が設置され、前記押し装置１００は左側の前記引っ張りバネ２０の上側と固定的に連結され、前記押し装置１００が下へ押して左側の前記安定板１４を前記収容チャンバ１１の中まで回転させ、且つ前記収容チャンバ１１の中の物を固定し、前記押し装置１００の左側はには開き溝２９が設置され、前記開き溝２９の中にはバックル３０が回転できるように設置され、前記バックル３０の右端と前記開き溝２９との間には捻りバネが固定的に設置され、前記バックル３０にはバックル装置２００が設置され、右側の前記昇降溝１８の上側には回転溝２２が連通するように設置され、前記回転溝２２の中には前記収容チャンバ１１を密封できる箱の蓋２３  が回転できるように設置され、前記箱の蓋２３  の下端と右側の前記引っ張りバネ２０の上端との間はファスナー２１により固定的に連結され、前記箱の蓋２３が前記収容チャンバ１１を密封する時、前記ファスナー２１と前記押し装置１００により左右の前記安定板１４が相対的に回転して、前記収容チャンバ１１の中の物の左右側を固定し、前記箱の蓋２３にはロック装置３００が設置され、前記ロック装置３００と前記バックル装置２００は引っ掛るように連結されることができ、且つ前記箱の蓋２３と前記箱主体１０とをロックできるように連結することができ、前記箱の蓋２３の中には方形溝３６が設置され、前記方形溝３６の中には防護板３７がスライドできるように設置され、前記方形溝３６の上側には前記防護板３７と固定的に連結されている伝動装置４００が設置され、前記箱の蓋２３と前記箱主体１０とが連結されている時、前記伝動装置４００は前記防護板３７を前記収容チャンバ１１の中まで下降させて前記収容チャンバ１１の中の物の上側を固定できる。
【００１４】
前記押し装置１００は前記収容チャンバ１１の左側壁の中に設置されている当接溝２７を含み、前記当接溝２７の左側には圧し溝２４が連通するように設置され、前記圧し溝２４の中には右側が前記当接溝２７の中まで伸びている圧しロッド２５がスライドできるように設置され、前記圧しロッド２５の左端面には位置制限ブロック２８が固定的に設置され、前記位置制限ブロック２８は前記圧しロッド２５が昇降する時位置を制限し、前記圧しロッド２５の下端は左側の前記引っ張りバネ２０の上端と固定的に連結され、前記箱の蓋２３と前記箱主体１０とがロックできるように連結されている時、前記箱の蓋２３は前記圧しロッド２５を下へ押して下降させ、引っ張りバネ２０により前記安定板１４が回転できて物の左側を固定できる。
【００１５】
前記バックル装置２００は前記バックル３０の中に設置されている外部空間と連通している押し溝３２を含み、前記押し溝３２の中には引っ掛かりブロック３３がスライドできるように設置され、前記引っ掛かりブロック３３と前記押し溝３２との間には戻しバネ３４が固定的に設置され、前記引っ掛かりブロック３３の上下端面にはガイドスライドブロック３５が固定的に設置され、前記ガイドスライドブロック３５は前記引っ掛かりブロック３３がスライドする時に前記引っ掛かりブロック３３のスライドを制限する作用を果たす。
【００１６】
前記ロック装置３００は前記箱の蓋２３の中に設置されているロック溝４９を含み、前記ロック溝４９の右端壁の中には連結溝５０が連通するように設置され、前記連結溝５０の中にアンロック押しロッド５１がスライドできるように設置され、前記箱の蓋２３と前記箱主体１０とがロックできるように連結されている時、前記バックル３０と前記ロック溝４９とが引っ掛るように連結されることができ、前記引っ掛かりブロック３３が前記連結溝５０の中に入り、前記連結溝５０の上側には推し溝５２が外部空間と連通するように設置され、前記アンロック押しロッド５１の上端は前記推し溝５２の中に伸びており、且つ前記アンロック押しロッド５１と前記推し溝５２の左端壁との間には圧しバネ５３が固定的に設置され、前記アンロック押しロッド５１を左に推し動かし、これによりアンロック押しロッド５１が前記引っ掛かりブロック３３を押して前記連結溝５０から離れさせ、前記バックル３０と前記箱の蓋２３との間をアンロックすることができる。
【００１７】
前記伝動装置４００は伸縮溝４５を含み、前記伸縮溝４５の中には左端が外部空間まで伸びている押しブロック４８がスライドできるように設置され、前記押しブロック４８の右側にはラック４６が設置され、前記ラック４６と前記押しブロック４８との間には伸縮バネ４７が固定的に設置され、前記伸縮溝４５の下端壁には伝動溝４２が連通するように設置され、前記伝動溝４２の中には上端が前記ラック４６と噛み合っている傘歯車４３が回転できるように設置され、前記押しブロック４８は前記当接溝２７に押されて右に移動し、そうすると、前記ラック４６を推し動かして右に移動させ、前記傘歯車４３を回転させ、前記傘歯車４３の前端には伝動歯車４４が噛み合うように連結され、前記伝動溝４２の右側には前記防護板３７と連通している凹溝３８が設置され、前記凹溝３８の中には軸心がネジ山の形である回転輪３９が回転できるように設置され、前記回転輪３９と前記伝動歯車４４の間はベルト４１により動力が伝達できるように連結され、前記回転輪３９の軸心のところにはネジ山軸４０がネジ山により連結され、前記ネジ山軸４０の下端が前記防護板３７と固定的に連結され、前記回転輪３９が回転し、これにより前記ネジ山軸４０が前記防護板３７を連動させて下降させ、前記収容チャンバ１１の中の物の上端を固定する。
【００１８】
初期状態において、箱の蓋２３と収容チャンバ１１はロックされていなく、安定板１４は収縮溝１３の中に収縮されている。
【００１９】
使用する時、中継待ちの物流小包あるいは物を収容チャンバ１１の中に置き、箱の蓋２３を反時計回りに回転させ、これにより箱の蓋２３が収容チャンバ１１を密封し、箱の蓋２３が回転している過程の中、ファスナー２１により右側の昇降ブロック１９を引き動かして上昇させ、回転ロッド１７により右側の安定板１４が収容チャンバ１１の中まで回転し、物の右側を固定し、箱の蓋２３と当接溝２７とが当接する時、箱の蓋２３は圧しロッド２５を下へ押し、これにより左側の昇降ブロック１９を下降させ、左側の安定板１４は収容チャンバ１１の中まで回転し、物の左側を固定し、引っ張りバネ２０は収容チャンバ１１の中の荷物のサイズと収容量によって安定板１４の回転角度を調節でき、荷物が取る収容チャンバ１１のスペースは大きい時、圧しロッド２５が下へ押して左側の引っ張りバネ２０を押し、右側の引っ張りバネ２０も同じであり、これにより収容チャンバ１１が荷物と当接するが荷物を押さなく、荷物の完全性を守られ、箱の蓋２３が圧しロッド２５を下へ押している過程の中、押しブロック４８が押されて右に移動すると、ラック４６が右に移動し、これにより傘歯車４３を回転させ、ベルト４１により回転輪３９を連動させて回転させると、ネジ山軸４０が防護板３７を連動させて下降させ、荷物の上側を固定し、伸縮バネ４７も同じように緩衝調節の作用を有し、その後、バックル３０を回転させることにより引っ掛かりブロック３３と連結溝５０とが引っ掛るように連結され、箱の蓋２３と箱主体１０をロックできるように連結し、置く時、箱主体１０を重ね置くことができ、下方の中継箱のバックル３０が上方の中継箱の引っ掛かり溝１２の中に入り、これにより上下の隣接している中継箱の間の重ね置くことの安定性を向上させることができ、収容チャンバ１１を開く時、アンロック押しロッド５１を左に押し、これによりアンロック押しロッド５１が引っ掛かりブロック３３を押して連結溝５０から離脱させる。
【００２０】
本発明の有益な効果は：本発明は構造が簡単であり、操作が簡単であり、箱の蓋と箱主体とがロックされる過程を通じ、収容チャンバの中の荷物を固定でき、中継過程中に荷物の完全性を守り、荷物の揺れることで生じる損害を避け、この中継箱は重ね置くことができ、且つ安定性が高く、箱を閉める操作が簡単であり、中継時間を節約できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183275.tif 000003
【図２】
2020183275.tif 000004
【図３】
2020183275.tif 000005
【図４】
2020183275.tif 000006
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
正面視で、箱主体を含み、前記箱主体の中には収容チャンバが設置され、前記収容チャンバの下側には引っ掛かり溝が設置され、前記収容チャンバの左右側には収縮溝が連通するように設置され、前記収縮溝の中には安定板が回転できるように設置され、前記安定板の相対する一端にはクッションが固定的に設置され、前記安定板は前記収容チャンバの中の物の両側を固定でき、前記安定板にはスライド溝が設置され、前記スライド溝の中にはスライドブロックがスライドできるように設置され、前記収縮溝のうち互いに離れている一側には昇降溝が連通するように設置され、左右の前記昇降溝の中にはそれぞれ昇降ブロックがスライドできるように設置され、左側の前記昇降ブロッグは右側の前記昇降ブロッグの上側に位置しており、前記昇降ブロッグと前記スライドブロックとの間が回転ロッドにより回転できるように連結され、前記昇降ブロッグの上端面は引っ張りバネが固定的に設置され、左側の前記昇降溝の上側には押し装置が設置され、前記押し装置は左側の前記引っ張りバネの上側と固定的に連結され、前記押し装置が下へ押して左側の前記安定板を前記収容チャンバの中まで回転させ、且つ前記収容チャンバの中の物を固定し、前記押し装置の左側には開き溝が設置され、前記開き溝の中にはバックルが回転できるように設置され、前記バックルの右端と前記開き溝との間には捻りバネが固定的に設置され、前記バックルにはバックル装置が設置され、右側の前記昇降溝の上側には回転溝が連通するように設置され、前記回転溝の中には前記収容チャンバを密封できる箱の蓋  が回転できるように設置され、前記箱の蓋の右端と右側の前記引っ張りバネの上端とはファスナーにより固定的に連結され、前記箱の蓋が前記収容チャンバを密封する時、前記ファスナーと前記押し装置により左右の前記安定板が相対的に回転して、前記収容チャンバの中の物の左右側を固定し、前記箱の蓋にはロック装置が設置され、前記ロック装置と前記バックル装置は引っ掛るように連結されることができ、且つ前記箱の蓋と前記箱主体とをロックできるように連結することができ、前記箱の蓋の中には方形溝が設置され、前記方形溝の中には防護板がスライドできるように設置され、前記方形溝の上側には前記防護板と固定的に連結されている伝動装置が設置され、前記箱の蓋と前記箱主体とが連結されている時、前記伝動装置は前記防護板を前記収容チャンバの中まで下降させて前記収容チャンバの中の物の上側を固定できることを特徴とする物流中継ぎ箱。
【請求項２】
前記押し装置は前記収容チャンバの左側壁の中に設置されている当接溝を含み、前記当接溝の左側には圧し溝が連通するように設置され、前記圧し溝の中には右側が前記当接溝の中まで伸びている圧しロッドがスライドできるように設置され、前記圧しロッドの左端面には位置制限ブロックが固定的に設置され、前記位置制限ブロックは前記圧しロッドが昇降する時位置を制限し、前記圧しロッドの下端は左側の前記引っ張りバネの上端と固定的に連結され、前記箱の蓋と前記箱主体とがロックできるように連結されている時、前記箱の蓋は前記圧しロッドを下へ押して下降させ、引っ張りバネにより前記安定板が回転できて物の左側を固定できることを特徴とする請求項１に記載の物流中継ぎ箱。
【請求項３】
前記バックル装置は前記バックルの中に設置されている外部空間と連通している押し溝を含み、前記押し溝の中には引っ掛かりブロックがスライドできるように設置され、前記引っ掛かりブロックと前記押し溝との間には戻しバネが固定的に設置され、前記引っ掛かりブロックの上下端面にはガイドスライドブロックが固定的に設置され、前記ガイドスライドブロックは前記引っ掛かりブロックがスライドする時に前記引っ掛かりブロックのスライドを制限する作用を果たすことを特徴とする請求項１に記載の物流中継ぎ箱。
【請求項４】
前記ロック装置は前記箱の蓋の中に設置されているロック溝を含み、前記ロック溝の右端壁の中には連結溝が連通するように設置され、前記連結溝の中にアンロック押しロッドがスライドできるように設置され、前記箱の蓋と前記箱主体とがロックできるように連結されている時、前記バックルと前記ロック溝とが引っ掛るように連結されることができ、前記引っ掛かりブロックが前記連結溝の中に入り、前記連結溝の上側には推し溝が外部空間と連通するように設置され、前記アンロック押しロッドの上端は前記推し溝の中に伸びており、且つ前記アンロック押しロッドと前記推し溝の左端壁との間には圧しバネが固定的に設置され、前記アンロック押しロッドを左に推し動かし、これによりアンロック押しロッドが前記引っ掛かりブロックを押して前記連結溝から離れさせ、前記バックルと前記箱の蓋との間をアンロックすることができることを特徴とする請求項１に記載の物流中継ぎ箱。
【請求項５】
前記伝動装置は伸縮溝を含み、前記伸縮溝の中には左端が外部空間まで伸びている押しブロックがスライドできるように設置され、前記押しブロックの右側にはラックが設置され、前記ラックと前記押しブロックとの間には伸縮バネが固定的に設置され、前記伸縮溝の下端壁には伝動溝が連通するように設置され、前記伝動溝の中には上端が前記ラックと噛み合っている傘歯車が回転できるように設置され、前記押しブロックは前記当接溝に押されて右に移動し、そうすると、前記ラックを推し動かして右に移動させ、前記傘歯車を回転させ、前記傘歯車の前端には伝動歯車が噛み合うように連結され、前記伝動溝の右側には前記防護板と連通している凹溝が設置され、前記凹溝の中には軸心がネジ山の形である回転輪が回転できるように設置され、前記回転輪と前記伝動歯車の間はベルトにより動力が伝達できるように連結され、前記回転輪の軸心のところにはネジ山軸がネジ山により連結され、前記ネジ山軸の下端が前記防護板と固定的に連結され、前記回転輪が回転し、これにより前記ネジ山軸が前記防護板を連動させて下降させ、前記収容チャンバの中の物の上端を固定することを特徴とする請求項１に記載の物流中継ぎ箱。
【手続補正２】
【補正対象書類名】明細書
【補正対象項目名】全文
【補正方法】変更
【補正の内容】
【発明の詳細な説明】
【技術分野】
【０００１】
本発明は郵送包装技術分野を取り上げて、具体的には物流中継ぎ箱である。
【背景技術】
【０００２】
現在の物流中継ぎ箱は中継時間を節約するために、デザインの構造が単一的であり、荷物が中継箱の中で固定されなく、郵送する時に荷物が揺れることで損害が生じ、また、中継ぎ箱を保存あるいは重ね置いて郵送する時、上下の隣接している中継ぎ箱の間はアンロック状態であり、そのため、郵送する時箱主体が滑りやすい。本発明は上記の問題を解決できる装置を提出した。
【先行技術文献】
【特許文献】
【０００３】
【特許文献１】中国特許出願公開第１０７５１２４７０号明細書
【発明の概要】
【発明が解決しようとする課題】
【０００４】
本発明は物流中継ぎ箱を提供し、従来技術における上記欠点を解消することを目的とする。
【課題を解決するための手段】
【０００５】
本発明の物流中継ぎ箱は、箱主体を含み、前記箱主体の中には収容チャンバが設置され、前記収容チャンバの下側には引っ掛かり溝が設置され、前記収容チャンバの左右側には収縮溝が連通するように設置され、前記収縮溝の中には安定板が回転できるように設置され、前記安定板の相対する一端にはクッションが固定的に設置され、前記安定板は前記収容チャンバの中の物の両側を固定でき、前記安定板にはスライド溝が設置され、前記スライド溝の中にはスライドブロックがスライドできるように設置され、前記収縮溝のうち互いに離れている一側には昇降溝が連通するように設置され、左右の前記昇降溝の中にはそれぞれ昇降ブロックがスライドできるように設置され、左側の前記昇降ブロッグは右側の前記昇降ブロッグの上側に位置しており、前記昇降ブロッグと前記スライドブロックとの間が回転ロッドにより回転できるように連結され、前記昇降ブロッグの上端面は引っ張りバネが固定的に設置され、左側の前記昇降溝の上側には押し装置が設置され、前記押し装置は左側の前記引っ張りバネの上側と固定的に連結され、前記押し装置が下へ押して左側の前記安定板を前記収容チャンバの中まで回転させ、且つ前記収容チャンバの中の物を固定し、前記押し装置の左側には開き溝が設置され、前記開き溝の中にはバックルが回転できるように設置され、前記バックルの右端と前記開き溝との間には捻りバネが固定的に設置され、前記バックルにはバックル装置が設置され、右側の前記昇降溝の上側には回転溝が連通するように設置され、前記回転溝の中には前記収容チャンバを密封できる箱の蓋  が回転できるように設置され、前記箱の蓋の右端と右側の前記引っ張りバネの上端とはファスナーにより固定的に連結され、前記箱の蓋が前記収容チャンバを密封する時、前記ファスナーと前記押し装置により左右の前記安定板が相対的に回転して、前記収容チャンバの中の物の左右側を固定し、前記箱の蓋にはロック装置が設置され、前記ロック装置と前記バックル装置は引っ掛るように連結されることができ、且つ前記箱の蓋と前記箱主体とをロックできるように連結することができ、前記箱の蓋の中には方形溝が設置され、前記方形溝の中には防護板がスライドできるように設置され、前記方形溝の上側には前記防護板と固定的に連結されている伝動装置が設置され、前記箱の蓋と前記箱主体とが連結されている時、前記伝動装置は前記防護板を前記収容チャンバの中まで下降させて前記収容チャンバの中の物の上側を固定できる。
【０００６】
更の技術プランとしては、前記押し装置は前記収容チャンバの左側壁の中に設置されている当接溝を含み、前記当接溝の左側には圧し溝が連通するように設置され、前記圧し溝の中には右側が前記当接溝の中まで伸びている圧しロッドがスライドできるように設置され、前記圧しロッドの左端面には位置制限ブロックが固定的に設置され、前記位置制限ブロックは前記圧しロッドが昇降する時位置を制限し、前記圧しロッドの下端は左側の前記引っ張りバネの上端と固定的に連結され、前記箱の蓋と前記箱主体とがロックできるように連結されている時、前記箱の蓋は前記圧しロッドを下へ押して下降させ、引っ張りバネにより前記安定板が回転できて物の左側を固定できる。
【０００７】
更の技術プランとしては、前記バックル装置は前記バックルの中に設置されている外部空間と連通している押し溝を含み、前記押し溝の中には引っ掛かりブロックがスライドできるように設置され、前記引っ掛かりブロックと前記押し溝との間には戻しバネが固定的に設置され、前記引っ掛かりブロックの上下端面にはガイドスライドブロックが固定的に設置され、前記ガイドスライドブロックは前記引っ掛かりブロックがスライドする時に前記引っ掛かりブロックのスライドを制限する作用を果たす。
【０００８】
更の技術プランとしては、前記ロック装置は前記箱の蓋の中に設置されているロック溝を含み、前記ロック溝の右端壁の中には連結溝が連通するように設置され、前記連結溝の中にアンロック押しロッドがスライドできるように設置され、前記箱の蓋と前記箱主体とがロックできるように連結されている時、前記バックルと前記ロック溝とが引っ掛るように連結されることができ、前記引っ掛かりブロックが前記連結溝の中に入り、前記連結溝の上側には推し溝が外部空間と連通するように設置され、前記アンロック押しロッドの上端は前記推し溝の中に伸びており、且つ前記アンロック押しロッドと前記推し溝の左端壁との間には圧しバネが固定的に設置され、前記アンロック押しロッドを左に推し動かし、これによりアンロック押しロッドが前記引っ掛かりブロックを押して前記連結溝から離れさせ、前記バックルと前記箱の蓋との間をアンロックすることができる。
【０００９】
更の技術プランとしては、前記伝動装置は伸縮溝を含み、前記伸縮溝の中には左端が外部空間まで伸びている押しブロックがスライドできるように設置され、前記押しブロックの右側にはラックが設置され、前記ラックと前記押しブロックとの間には伸縮バネが固定的に設置され、前記伸縮溝の下端壁には伝動溝が連通するように設置され、前記伝動溝の中には上端が前記ラックと噛み合っている傘歯車が回転できるように設置され、前記押しブロックは前記当接溝に押されて右に移動し、そうすると、前記ラックを推し動かして右に移動させ、前記傘歯車を回転させ、前記傘歯車の前端には伝動歯車が噛み合うように連結され、前記伝動溝の右側には前記防護板と連通している凹溝が設置され、前記凹溝の中には軸心がネジ山の形である回転輪が回転できるように設置され、前記回転輪と前記伝動歯車の間はベルトにより動力が伝達できるように連結され、前記回転輪の軸心のところにはネジ山軸がネジ山により連結され、前記ネジ山軸の下端が前記防護板と固定的に連結され、前記回転輪が回転し、これにより前記ネジ山軸が前記防護板を連動させて下降させ、前記収容チャンバの中の物の上端を固定する。
【発明の効果】
【００１０】
本発明は構造が簡単であり、操作が簡単であり、箱の蓋と箱主体とがロックされる過程を通じ、収容チャンバの中の荷物を固定でき、中継過程中に荷物の完全性を守り、荷物の揺れることで生じる損害を避け、この中継箱は重ね置くことができ、且つ安定性が高く、箱を閉める操作が簡単であり、中継時間を節約できる。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の物流中継ぎ箱の全体構成模式図
【図２】図２は図１の「Ａ」の拡大構成模式図
【図３】図３は図２の「Ｂ」の構成模式図
【図４】図４は図１の「Ｃ」の構成模式図
【発明を実施するための形態】
【００１３】
図１〜４を参照し、本発明の実施例の物流中継ぎ箱は、箱主体１０を含み、前記箱主体１０の中には収容チャンバ１１が設置され、前記収容チャンバ１１の下側には引っ掛かり溝１２が設置され、前記収容チャンバ１１の左右側には収縮溝１３が連通するように設置され、前記収縮溝１３の中には安定板１４が回転できるように設置され、前記安定板１４の相対する一端にはクッション５４が固定的に設置され、前記安定板１４は前記収容チャンバ１１の中の物の両側を固定でき、前記安定板１４にはスライド溝１５が設置され、前記スライド溝１５の中にはスライドブロック１６がスライドできるように設置され、前記収縮溝１３のうち互いに離れている一側には昇降溝１８が連通するように設置され、左右の前記昇降溝１８の中にはそれぞれ昇降ブロック１９がスライドできるように設置され、左側の前記昇降ブロッグ１９は右側の前記昇降ブロッグ１９の上側に位置しており、前記昇降ブロッグ１９と前記スライドブロック１６との間が回転ロッド１７により回転できるように連結され、前記昇降ブロッグ１９の上端面は引っ張りバネ２０が固定的に設置され、左側の前記昇降溝の上側には押し装置１００が設置され、前記押し装置１００は左側の前記引っ張りバネ２０の上側と固定的に連結され、前記押し装置１００が下へ押して左側の前記安定板１４を前記収容チャンバ１１の中まで回転させ、且つ前記収容チャンバ１１の中の物を固定し、前記押し装置１００の左側には開き溝２９が設置され、前記開き溝２９の中にはバックル３０が回転できるように設置され、前記バックル３０の右端と前記開き溝２９との間には捻りバネが固定的に設置され、前記バックル３０にはバックル装置２００が設置され、右側の前記昇降溝１８の上側には回転溝２２が連通するように設置され、前記回転溝２２の中には前記収容チャンバ１１を密封できる箱の蓋２３  が回転できるように設置され、前記箱の蓋２３の右端と右側の前記引っ張りバネ２０の上端とはファスナー２１により固定的に連結され、前記箱の蓋２３が前記収容チャンバ１１を密封する時、前記ファスナー２１と前記押し装置１００により左右の前記安定板１４が相対的に回転して、前記収容チャンバ１１の中の物の左右側を固定し、前記箱の蓋２３にはロック装置３００が設置され、前記ロック装置３００と前記バックル装置２００は引っ掛るように連結されることができ、且つ前記箱の蓋２３と前記箱主体１０とをロックできるように連結することができ、前記箱の蓋２３の中には方形溝３６が設置され、前記方形溝３６の中には防護板３７がスライドできるように設置され、前記方形溝３６の上側には前記防護板３７と固定的に連結されている伝動装置４００が設置され、前記箱の蓋２３と前記箱主体１０とが連結されている時、前記伝動装置４００は前記防護板３７を前記収容チャンバ１１の中まで下降させて前記収容チャンバ１１の中の物の上側を固定できる。
【００１４】
前記押し装置１００は前記収容チャンバ１１の左側壁の中に設置されている当接溝２７を含み、前記当接溝２７の左側には圧し溝２４が連通するように設置され、前記圧し溝２４の中には右側が前記当接溝２７の中まで伸びている圧しロッド２５がスライドできるように設置され、前記圧しロッド２５の左端面には位置制限ブロック２８が固定的に設置され、前記位置制限ブロック２８は前記圧しロッド２５が昇降する時位置を制限し、前記圧しロッド２５の下端は左側の前記引っ張りバネ２０の上端と固定的に連結され、前記箱の蓋２３と前記箱主体１０とがロックできるように連結されている時、前記箱の蓋２３は前記圧しロッド２５を下へ押して下降させ、引っ張りバネ２０により前記安定板１４が回転できて物の左側を固定できる。
【００１５】
前記バックル装置２００は前記バックル３０の中に設置されている外部空間と連通している押し溝３２を含み、前記押し溝３２の中には引っ掛かりブロック３３がスライドできるように設置され、前記引っ掛かりブロック３３と前記押し溝３２との間には戻しバネ３４が固定的に設置され、前記引っ掛かりブロック３３の上下端面にはガイドスライドブロック３５が固定的に設置され、前記ガイドスライドブロック３５は前記引っ掛かりブロック３３がスライドする時に前記引っ掛かりブロック３３のスライドを制限する作用を果たす。
【００１６】
前記ロック装置３００は前記箱の蓋２３の中に設置されているロック溝４９を含み、前記ロック溝４９の右端壁の中には連結溝５０が連通するように設置され、前記連結溝５０の中にアンロック押しロッド５１がスライドできるように設置され、前記箱の蓋２３と前記箱主体１０とがロックできるように連結されている時、前記バックル３０と前記ロック溝４９とが引っ掛るように連結されることができ、前記引っ掛かりブロック３３が前記連結溝５０の中に入り、前記連結溝５０の上側には推し溝５２が外部空間と連通するように設置され、前記アンロック押しロッド５１の上端は前記推し溝５２の中に伸びており、且つ前記アンロック押しロッド５１と前記推し溝５２の左端壁との間には圧しバネ５３が固定的に設置され、前記アンロック押しロッド５１を左に推し動かし、これによりアンロック押しロッド５１が前記引っ掛かりブロック３３を押して前記連結溝５０から離れさせ、前記バックル３０と前記箱の蓋２３との間をアンロックすることができる。
【００１７】
前記伝動装置４００は伸縮溝４５を含み、前記伸縮溝４５の中には左端が外部空間まで伸びている押しブロック４８がスライドできるように設置され、前記押しブロック４８の右側にはラック４６が設置され、前記ラック４６と前記押しブロック４８との間には伸縮バネ４７が固定的に設置され、前記伸縮溝４５の下端壁には伝動溝４２が連通するように設置され、前記伝動溝４２の中には上端が前記ラック４６と噛み合っている傘歯車４３が回転できるように設置され、前記押しブロック４８は前記当接溝２７に押されて右に移動し、そうすると、前記ラック４６を推し動かして右に移動させ、前記傘歯車４３を回転させ、前記傘歯車４３の前端には伝動歯車４４が噛み合うように連結され、前記伝動溝４２の右側には前記防護板３７と連通している凹溝３８が設置され、前記凹溝３８の中には軸心がネジ山の形である回転輪３９が回転できるように設置され、前記回転輪３９と前記伝動歯車４４の間はベルト４１により動力が伝達できるように連結され、前記回転輪３９の軸心のところにはネジ山軸４０がネジ山により連結され、前記ネジ山軸４０の下端が前記防護板３７と固定的に連結され、前記回転輪３９が回転し、これにより前記ネジ山軸４０が前記防護板３７を連動させて下降させ、前記収容チャンバ１１の中の物の上端を固定する。
【００１８】
初期状態において、箱の蓋２３と収容チャンバ１１はロックされていなく、安定板１４は収縮溝１３の中に収縮されている。
【００１９】
使用する時、中継待ちの物流小包あるいは物を収容チャンバ１１の中に置き、箱の蓋２３を反時計回りに回転させ、これにより箱の蓋２３が収容チャンバ１１を密封し、箱の蓋２３が回転している過程の中、ファスナー２１により右側の昇降ブロック１９を引き動かして上昇させ、回転ロッド１７により右側の安定板１４が収容チャンバ１１の中まで回転し、物の右側を固定し、箱の蓋２３と当接溝２７とが当接する時、箱の蓋２３は圧しロッド２５を下へ押し、これにより左側の昇降ブロック１９を下降させ、左側の安定板１４は収容チャンバ１１の中まで回転し、物の左側を固定し、引っ張りバネ２０は収容チャンバ１１の中の荷物のサイズと収容量によって安定板１４の回転角度を調節でき、荷物が取る収容チャンバ１１のスペースは大きい時、圧しロッド２５が下へ押して左側の引っ張りバネ２０を押し、右側の引っ張りバネ２０も同じであり、これにより収容チャンバ１１が荷物と当接するが荷物を押さなく、荷物の完全性を守られ、箱の蓋２３が圧しロッド２５を下へ押している過程の中、押しブロック４８が押されて右に移動すると、ラック４６が右に移動し、これにより傘歯車４３を回転させ、ベルト４１により回転輪３９を連動させて回転させると、ネジ山軸４０が防護板３７を連動させて下降させ、荷物の上側を固定し、伸縮バネ４７も同じように緩衝調節の作用を有し、その後、バックル３０を回転させることにより引っ掛かりブロック３３と連結溝５０とが引っ掛るように連結され、箱の蓋２３と箱主体１０をロックできるように連結し、置く時、箱主体１０を重ね置くことができ、下方の中継箱のバックル３０が上方の中継箱の引っ掛かり溝１２の中に入り、これにより上下の隣接している中継箱の間の重ね置くことの安定性を向上させることができ、収容チャンバ１１を開く時、アンロック押しロッド５１を左に押し、これによりアンロック押しロッド５１が引っ掛かりブロック３３を押して連結溝５０から離脱させる。
【００２０】
本発明の有益な効果は：本発明は構造が簡単であり、操作が簡単であり、箱の蓋と箱主体とがロックされる過程を通じ、収容チャンバの中の荷物を固定でき、中継過程中に荷物の完全性を守り、荷物の揺れることで生じる損害を避け、この中継箱は重ね置くことができ、且つ安定性が高く、箱を閉める操作が簡単であり、中継時間を節約できる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。